(57)【特許請求の範囲】
【請求項１】
光源と、当該光源から照射される光によって表示面が発光する円板状の発光表示部と、前記発光表示部の外周側に配置され、前端部に装飾部を有する円筒状の回動ノブと、前記回動ノブと前記発光表示部との間に配置され、当該発光表示部の外周面を覆いつつ、当該外周面から出射される前記光源からの光を遮光するように前記発光表示部を保持する円筒状のベース部と、前記回動ノブの内周側に配設され、前記回動ノブの中心軸における前後方向に長尺な円筒状のハウジング部と、を備え、前記ベース部と前記ハウジング部との間に前記発光表示部が介在し、前記回動ノブの前記中心軸回りの回動操作により所定のスイッチ動作を行うダイヤル式スイッチにおいて、
前記発光表示部の前記外周面には外方に向けて突出した第１の凸部が突設され、
前記ハウジング部の前記前端部における外周面には外方に向けて突出した第２の凸部が突設され、
前記ベース部の内周上には前記発光表示部の前記第１の凸部および、前記ハウジング部の第２の凸部に対応する切欠部が、前記中心軸の前後方向における同一線上に設けられていることを特徴とするダイヤル式スイッチ。
【請求項２】
前記ハウジング部は、前記回動ノブの内周側に位置する前記発光表示部の前記表示面とは反対の裏面側に前端部を当接させ、
前記ベース部は、少なくとも前記前端部側の前記発光表示部と対峙する内周面が、当該発光表示部の前記外周面に沿った形状で形成され、
前記ハウジング部の前端部と、前記ベース部の内周面との間に前記発光表示部を介在することを特徴とする請求項１に記載のダイヤル式スイッチ。
【請求項３】
前記ベース部は、少なくとも前記発光表示部と対峙する内周面が、光を透過しない材料によって遮光処理されることを特徴とする請求項１又は２に記載のダイヤル式スイッチ。
【請求項４】
車両に搭載されることを特徴とする請求項１乃至３の何れか１項に記載のダイヤル式スイッチ。
【発明の詳細な説明】
【技術分野】
【０００１】
本発明は、ダイヤル式スイッチに関する。
【背景技術】
【０００２】
従来、車載されるエアコンやオーディオ機器等のコントロールパネルに用いられるダイヤル式スイッチにおいては、夜間であっても回動ノブによる操作対象（例えば、エアコンの温度や風量などの調節、オーディオの音量や出力方向などの調節）が何れであるかを判別できるように、回動ノブに発光可能な表示面を有する発光表示部が設けられている（例えば、特許文献１参照）。
【０００３】
図５は、この種のダイヤル式スイッチにおける内部構造の一例を示す断面図であり、図６は、図５のダイヤル式スイッチにおける要部を拡大して示す拡大図である。
図５に示すように、ダイヤル式スイッチ２００は、車両のインストルメント・パネル３００に取り付けられ、先端開口が略円形状の透過性板状部材（例えば、クリア材）からなる発光表示部２０１で閉塞された略円筒状のハウジング部２０２と、該ハウジング部２０２の発光表示部２０１側となる前端部２０２ａに覆設され、発光表示部２０１との間に介在されたベース部２０３と、ハウジング部２０２の内部に配設された光源２０４と、発光表示部２０１の外周側に回動可能に設けられた円環状の回動ノブ２０５と、該回動ノブ２０５の先端開口（回動ノブ開口部２０５ａ）に係合された円環状の装飾部材であるリング部２０６と、を備えている。このとき、リング部２０６は、外表面をメッキ処理することで、見栄え（デザイン性）を向上させている。
【０００４】
ここで、図５において一点鎖線で示す要部Ａを拡大した図６に示すように、ハウジング部２０２の前端部２０２ａには、ツメ部２０２ｂが外方へ向かって突設され、ベース部２０３の内周に設けられた切欠部２０３ｂと係合することにより、ハウジング部２０２とベース部２０３とが位置決めされた状態で固定されている。また、ベース部２０３には、発光表示部２０１側となる前端部に内周側へ向かって屈曲したリブ２０３ａが形成されている。該リブ２０３ａは、ハウジング部２０２の前端部２０２ａ側における先端部分を覆う程度に内周側へ延設されている。そして、当該リブ２０３ａが両面テープなどによる接着部２０７を介在して、発光表示部２０１の裏面２０１ａに当接されることで、発光表示部２０１がベース部２０３に固着されている。
【０００５】
かかる構成により、ダイヤル式スイッチ２００では、光源２０４から照射される光が、ハウジング部２０２の内周側を通過して発光表示部２０１の裏面２０１ａに入射した後、この発光表示部２０１の前面（すなわち、表示面２０１ｂ）から出射するようにして発光表示部２０１を透過する。こうして発光表示部２０１（例えば、裏面２０１ａ）に印刷された表示内容を表示面２０１ｂに発光した状態で表示可能となっている。
【先行技術文献】
【特許文献】
【０００６】
【特許文献１】特開平１１−２０３９７３号公報
【発明の概要】
【発明が解決しようとする課題】
【０００７】
しかしながら、上述した従来のダイヤル式スイッチ２００の構造では、発光表示部２０１が光源２０４から照射される光を透過しなければならないことから透過性の材料（クリア材）を用いて形成されているため、発光表示部２０１の外周から漏れた光が、メッキ処理されたリング部２０６に反射することで、見栄えを損なってしまう問題があった。
【０００８】
また、発光表示部２０１がベース部２０３に対し、両面テープなどの接着部２０７を介して固着されているため、部品点数の増加に伴うコストアップの問題や経年劣化による剥がれなどの不具合が生じるおそれも懸念されていた。
【０００９】
そこで、本発明は上述した問題点に鑑みてなされたもので、外観の見栄えが損なわれることを防止できるとともに、部品点数を低減してコストを削減しつつ経年劣化による不具合の発生を未然に回避することができるダイヤル式スイッチの提供を目的とする。
【課題を解決するための手段】
【００１０】
上記課題を解決するために、請求項１に記載の発明は、光源と、当該光源から照射される光によって表示面が発光する円板状の発光表示部と、前記発光表示部の外周側に配置され、前端部に装飾部を有する円筒状の回動ノブと、前記回動ノブと前記発光表示部との間に配置され、当該発光表示部の外周面を覆いつつ、当該外周面から出射される前記光源からの光を遮光するように前記発光表示部を保持する円筒状のベース部と、前記回動ノブの内周側に配設され、前記回動ノブの中心軸における前後方向に長尺な円筒状のハウジング部と、を備え、前記ベース部と前記ハウジング部との間に前記発光表示部が介在し、前記回動ノブの前記中心軸回りの回動操作により所定のスイッチ動作を行うダイヤル式スイッチにおいて、
前記発光表示部の前記外周面には外方に向けて突出した第１の凸部が突設され、
前記ハウジング部の前記前端部における外周面には外方に向けて突出した第２の凸部が突設され、
前記ベース部の内周上には前記発光表示部の前記第１の凸部および、前記ハウジング部の第２の凸部に対応する切欠部が、前記中心軸の前後方向における同一線上に設けられていることを特徴とする。
【００１２】
請求項２に記載の発明は、請求項１に記載のダイヤル式スイッチにおいて、
前記ハウジング部は、前記回動ノブの内周側に位置する前記発光表示部の前記表示面とは反対の裏面側に前端部を当接させ、
前記ベース部は、少なくとも前記前端部側の前記発光表示部と対峙する内周面が、当該発光表示部の前記外周面に沿った形状で形成され、
前記ハウジング部の前端部と、前記ベース部の内周面との間に前記発光表示部を介在することを特徴とする。
【００１３】
請求項３に記載の発明は、請求項１又は２に記載のダイヤル式スイッチにおいて、
前記ベース部は、少なくとも前記発光表示部と対峙する内周面が、光を透過しない材料によって遮光処理されることを特徴とする。
【００１５】
請求項４に記載の発明は、請求項１乃至３の何れか１項に記載のダイヤル式スイッチにおいて、
車両に搭載されることを特徴とする。
【発明の効果】
【００１６】
本発明によれば、ベース部が回動ノブと発光表示部との間に配置され、当該発光表示部の外周面を覆いつつ、当該外周面から出射される光源からの光を遮光するので、光源から照射された光が当該発光表示部の外周面から漏れて装飾部に反射することを未然に回避することができ、外観の見栄えが損なわれることを防止できる。
また、ベース部が回動ノブと発光表示部との間に配置され、当該発光表示部の外周面を覆うため、従来のように発光表示部側となる前端部に内周側へ向かって屈曲したリブを形成し、リブと発光表示部の裏面との間に接着部（例えば、両面テープ）を介在して発光表示部をベース部に固着させるのを排除することができる分、部品点数を低減してコストを削減することができるとともに、ベース部が発光表示部を直接保持することで経年劣化による剥がれなどの不具合が生じることを未然に回避することができる。
かくして、外観の見栄えが損なわれることを防止できるとともに、部品点数を低減してコストを削減しつつ経年劣化による不具合の発生を未然に回避することができるダイヤル式スイッチの提供を実現できる。
【図面の簡単な説明】
【００１７】
【図１】本発明の実施形態に係るダイヤル式スイッチの車載状態を示す正面図である。
【図２】ダイヤル式スイッチの要部を示す分解斜視図である。
【図３】図１におけるＡ−Ａ断面を示す断面図である。
【図４】図３における要部を拡大して示す拡大断面図である。
【図５】従来のダイヤル式スイッチを示す側断面図である。
【図６】図５における要部を拡大して示す拡大断面図である。
【発明を実施するための形態】
【００１８】
以下、本発明の一実施形態について、図面を参照して説明する。
【００１９】
図１は、本実施形態におけるダイヤル式スイッチ１の車載状態での正面図であり、図２は、ダイヤル式スイッチ１の要部の分解斜視図であり、図３は、図１のＡ−Ａ線での断面図であり、図４は、図３における要部を拡大して示す拡大断面図である。
ダイヤル式スイッチ１は、例えば、車両に搭載されて所定のスイッチ動作を行うスイッチユニットであり、図１〜図３に示すように、車両のインストルメント・パネル１００（以下、これを単に「インパネ１００」と称す）から露出した円筒状の回動ノブ２と、略円形状の透過性板状部材（例えば、クリア材）からなる発光表示部としてのパネル３と、先端開口がパネル３で閉塞された略円筒状のハウジング部４と、該ハウジング部４のパネル３側となる前端部４ａの外周面４２およびパネル３の外周面３１に覆設されたベース部５と、ハウジング部４の内部に配設された光源としてのＬＥＤ６（Light Emitting Diode：発光ダイオード）と、回動ノブ２の先端開口である回動ノブ開口部２１に係合された円環状の装飾部であるリング部７と、を備えている。
【００２０】
具体的に、回動ノブ２は、前後方向に沿った中心軸Ａｘ回りに回動可能に構成されており、当該中心軸Ａｘにおける前後方向の前端部２ａに、当該前端部２ａの略全周に亘って開口された回動ノブ開口部２１を備えている。また、回動ノブ２の後端側は、所定の前後方向長さに形成されており、略後半部が所定長さに亘ってインパネ１００内に挿入されている。
【００２１】
パネル３は、表示面３ａとは反対の裏面３ｂ側によって回動ノブ２の回動ノブ開口部２１を閉塞するように配設されており、ＬＥＤ６から照射される光によって発光することで、裏面３ｂに印刷等により形成された表示内容を表示面３ａに透過して表示可能となっている。このとき、パネル３の裏面３ｂ側を略平坦に形成することにより、表示面３ａに表示する表示内容を印刷することができる。さらに、パネル３の外周面３１には、外方に向けて突出した第１の凸部３ｃが所定間隔で複数箇所（例えば、４箇所）突設されており、後述するベース部５の切欠部５ｂと係合することにより、ベース部５に対して位置決めされた状態で固定される。また、本実施形態の場合、パネル３の外周面３１には、表示面３ａから裏面３ｂ側に行くにつれ外径方向へ向かって傾斜するテーパ面が形成されている。
【００２２】
ハウジング部４は、回動ノブ２の同心円上における該回動ノブ２の内周側に配設され、中心軸Ａｘ方向の前後方向に亘って長尺な円筒部材である。そして、回動ノブ２の内周側に位置するパネル３の裏面３ｂ側における周端部の略全周に亘って開口する先端開口としての開口部４１を、回動ノブ２の中心軸Ａｘにおける前後方向の前端部４ａ側に有している。また、ハウジング部４の前端部４ａにおける外周面４２には、外方に向けて突出した第２の凸部４ｂが所定間隔で複数箇所（この場合、４箇所）突設されており、後述するベース部５の切欠部５ｂと係合することにより、パネル３と一体的にベース部５に対して位置決めされた状態で固定されるようになっている。
【００２３】
ハウジング部４の後端部は、中心軸Ａｘに直交するように立設された基板８に保持部材９および摺動部１０を介して、当該中心軸Ａｘ方向に摺動自在に保持されている。基板８は、後面がカバー１１によって覆われており、当該カバー１１の外周に取着されたケース１２を介してインパネ１００に固定されている。基板８には、前方へ光を照射するように光軸を中心軸Ａｘと一致させたＬＥＤ６が中心軸Ａｘ上に実装されている。また、基板８には、ハウジング部４の外周側にエンコーダユニット１３が実装されている。このエンコーダユニット１３は、中心軸Ａｘ回りに回動可能な摺動部（図示せず）を有しており、当該摺動部が回動ノブ２の後端部と連結されていることによって、回動ノブ２の回動位置（回動角度）を検出できるようになっている。そして、エンコーダユニット１３が検出した回動角度に基づいて、図示しない制御機構を通じて所定のスイッチ動作が行われるようになっている。
【００２４】
なお、ダイヤル式スイッチ１において、回動ノブ２の中心軸Ａｘ回りの回動操作による動作結果（例えば、エアコンの温度調節の場合、調節後の設定温度）は、図示省略するコントロールパネルに設けられた表示装置に表示されるようになっている。また、ハウジング４は、基板８に実装されたエンコーダユニット１３の内周側に、摺動部１０および保持部材９を介して、中心軸Ａｘ方向に摺動自在に保持されているため、前端部４ａに当接されたパネル３が押圧操作されることにより、当該中心軸Ａｘ方向に摺動し、回動ノブ２の回動操作による所定のスイッチ動作（例えば、カーエアコンの温度調節や、カーオーディオの音量調節など）とは異なる他のスイッチ動作（例えば、カーエアコンの自動温度設定や、カーオーディオの音量を無音とするミュート設定等）が行われるようになっている。
【００２５】
ベース部５は、図３において一点鎖線で示す要部Ｂを拡大した図４にも示すように、回動ノブ２の中心軸Ａｘに沿ってパネル３の外周面３１および、ハウジング部４の前端部４ａにおける外周面４２に覆設されており、回動ノブ２の中心軸Ａｘにおける前後方向の前端部５ａ側が、パネル３の外周面３１におけるテーパ面に沿うように、後端側に行くにつれ外径方向へ向かって傾斜するテーパ面で形成されている。このため、ベース部５は、テーパ面で形成された前端部５ａと、ハウジング部４の前端部４ａとの間に、パネル３の外周側を介在した状態で当該パネル３を挟持するようになっている。
【００２６】
また、ベース部５は回動ノブ２の内周側に位置するパネル３の外周における略全周に亘って開口する先端開口部５１を前端部５ａ側に有しており、当該先端開口部５１を介して、パネル３の表示面３ａを回動ノブ開口部２１から露出させるようになっている。また、ベース部５は、少なくともパネル３と対峙する内周面５２が、光を透過しない材料によって遮光処理されており、パネル３の外周面３１から漏れるＬＥＤ６からの光を、リング部７側へ出射しないように遮光可能となっている。
【００２７】
さらに、ベース部５の内周には、中心軸Ａｘの前後方向に延設されるスリット状の切欠部５ｂが、円周方向に所定間隔で複数箇所（例えば、４箇所）設けられ、パネル３の第１の凸部３ｃおよびハウジング部４の第２の凸部４ｂと係合することで、当該パネル３とハウジング部４とをベース部５に対して位置決めできるようになっている。このとき、ベース部５の切欠部５ｂとハウジング部４の第２の凸部４ｂとの間にパネル３の第１の凸部３ｃが介在されるため、この部分においても、ベース部５とハウジング部４との間にパネル３を挟持可能となっている。従って、ベース部５の切欠部５ｂと、パネル３の第１の凸部３ｃおよびハウジング部４の第２の凸部４ｂとを係合することで、ベース部５とハウジング部４との間に挟持されるパネル３の位置決めが可能であると換言できる。
【００２８】
リング部７は、略全体がメッキ処理されており、回動ノブ２の同心円上におけるベース部５より外周に配設され、後端側の外周に貫設された孔部７ａが回動ノブ２の前端部２ａの内周に突設された突部２ｂに係合されることで回動ノブ２の回動ノブ開口部２１に固定され、ダイヤル式スイッチ１の見栄えを向上させるようになっている。
【００２９】
かかる構成を具備するダイヤル式スイッチ１では、ＬＥＤ６から照射される光が、ハウジング部４の内周側を通過してパネル３の裏面３ｂに入射した後、このパネル３の前面（すなわち、表示面３ａ）から出射するようにしてパネル３を透過する。こうしてパネル３の裏面３ｂに印刷された表示内容を表示面３ａに発光した状態で表示可能となっている。
【００３０】
なお、パネル３は押圧操作されることにより、回動ノブ２の回動操作による所定のスイッチ動作（例えば、カーエアコンの温度調節や、カーオーディオの音量調節など）とは異なる他のスイッチ動作（例えば、カーエアコンの自動温度設定や、カーオーディオの音量を無音とするミュート設定）を行うようになっていてもよい。
【００３１】
とりわけ、本実施形態のダイヤル式スイッチ１では、図６に示した従来のダイヤル式スイッチ２００とは異なり、ベース部２０３が、発光表示部２０１側となる前端部に内周側へ向かって屈曲したリブ２０３ａを備えていない。すなわち、本実施形態のダイヤル式スイッチ１の場合、ベース部５は、回動ノブ２の中心軸Ａｘに沿ってパネル３の外周面３１および、ハウジング部４の前端部４ａにおける外周面４２に覆設されるため、パネル３と対峙する内周面５２が、パネル３の外周面３１から漏れたＬＥＤ６の光をリング部７側へ出射しないように遮光できるので、パネル３の外周面３１から漏れた光がリング部７に反射することを未然に回避することができる。
【００３２】
また、本実施形態のダイヤル式スイッチ１では、図６に示した従来のダイヤル式スイッチ２００とは異なり、ベース部２０３が、リブ２０３ａと発光表示部２０１の裏面２０１ａとの間に両面テープ等の接着部２０７を介在して発光表示部２０１をベース部２０３に固着させるのではない。すなわち、本実施形態のダイヤル式スイッチ１の場合、ベース部５がパネル３の表示面３ａを、先端開口部５１を介して回動ノブ開口部２１から露出させつつ、回動ノブ２の中心軸Ａｘに沿ってパネル３の外周面３１および、ハウジング部４の前端部４ａにおける外周面４２に覆設されるため、ベース部５のテーパ面で形成された前端部５ａと、ハウジング部４の前端部４ａとの間に、パネル３の外周側を介在した状態で当該パネル３を挟持するので、接着部２０７（図６参照）を排除する分、部品点数を低減してコストを削減することができるとともに、ベース部５とハウジング部４との間にパネル３を直接挟持することで経年劣化による剥がれなどの不具合が生じることを未然に回避することができる。
【００３３】
以上、本実施形態のダイヤル式スイッチ１によれば、ＬＥＤ６と、当該ＬＥＤ６から照射される光によって表示面３ａが発光する円板状のパネル３と、パネル３の外周側に配置され、前端部２ａにリング部７を有する円筒状の回動ノブ２と、パネル３を保持する円筒状のベース部５と、を備え、回動ノブ２の中心軸Ａｘ回りの回動操作により所定のスイッチ動作を行うダイヤル式スイッチ１において、ベース部５は、回動ノブ２とパネル３との間に配置され、当該パネル３の外周面３１を覆いつつ、当該外周面３１から出射されるＬＥＤ６からの光を遮光するので、ＬＥＤ６から照射された光が当該パネル３の外周面３１から漏れてリング部７に反射することを未然に回避することができ、外観の見栄えが損なわれることを防止できる。
また、ベース部５が回動ノブ２とパネル３との間に配置され、当該パネル３の外周面３１を覆うため、従来存在したリブ２０３ａおよび接着部２０７（図６参照）を排除できる分、部品点数を低減してコストを削減することができるとともに、ベース部５がパネル３を直接保持することで経年劣化による剥がれなどの不具合が生じることを未然に回避することができる。
かくして、外観の見栄えが損なわれることを防止できるとともに、部品点数を低減してコストを削減しつつ経年劣化による不具合の発生を未然に回避することができるダイヤル式スイッチ１を提供することができる。
【００３４】
また、ダイヤル式スイッチ１によれば、回動ノブ２の内周側に配設され、中心軸Ａｘにおける前後方向に長尺な円筒状のハウジング部４を備え、ベース部５とハウジング部４との間にパネル３を介在するので、ベース部５とハウジング部４とにより、パネル３を挟持することができる。
【００３５】
また、ダイヤル式スイッチ１によれば、ハウジング部４は、回動ノブ２の内周側に位置するパネル３の表示面３ａとは反対の裏面３ｂ側に前端部４ａを当接させ、ベース部５は、少なくとも前端部５ａ側のパネル３と対峙する内周面５２が、当該パネル３の外周面３１に沿った形状で形成され、ハウジング部４の前端部４ａと、ベース部５の内周面５２との間にパネル３を介在するため、これらハウジング部４の前端部４ａと、ベース部５の内周面５２とにより、パネル３を挟持することができ、従来のようなリブの形成や接着部を設ける必要がない分、部品点数を削減して、コストを抑えることができるとともに、ハウジング部４の前端部４ａと、ベース部５の内周面５２とにより、パネル３を直接挟持するので、経年劣化による剥がれなどの不具合が生じることを未然に回避することができる。
【００３６】
また、ダイヤル式スイッチ１によれば、ベース部５は、少なくともパネル３と対峙する内周面５２が、光を透過しない材料によって遮光処理されるため、パネル３の外周面３１から漏れるＬＥＤ６からの光がリング部７側へ出射しないように、確実に遮光することができる。
【００３７】
また、ダイヤル式スイッチ１によれば、パネル３の外周面３１には外方に向けて突出した第１の凸部３ｃが突設され、ハウジング部４の前端部４ａにおける外周面４２には外方に向けて突出した第２の凸部４ｂが突設され、ベース部５の内周上にはパネル３の第１の凸部３ｃおよび、ハウジング部４の第２の凸部４ｂに対応する切欠部５ｂが、中心軸Ａｘの前後方向における同一線上に設けられるため、ベース部５をパネル３の外周面３１およびハウジング部４の外周面４２に覆設する際に、第１および第２の凸部３ｃ、４ｂを切欠部５ｂに係合することで、ベース部５に対するパネル３およびハウジング部４の位置決め、換言すれば、ベース部５とハウジング部４とにより挟持されるパネル３の位置決めが可能となっている。
【００３８】
なお、本発明は上述した実施形態に限定して解釈されるべきではなく、適宜変更・改良が可能であることはもちろんである。
【００３９】
例えば、上述の実施形態では、本発明のダイヤル式スイッチ１を車両に搭載されて所定のスイッチ動作を行うスイッチユニットに適用する場合について述べたが、本発明はこれに限らず、要は光源から照射される光によって表示面が発光する発光表示部を有する円筒状の回動ノブを備え、当該回動ノブの中心軸回りの回動操作により所定のスイッチ動作を行うものであれば、この他、種々のスイッチユニットに広く適用することができる。
【００４０】
また、上述の実施形態では、ベース部５において、少なくともパネル３と対峙する内周面５２が、光を透過しない材料によって遮光処理されるようにした場合について述べたが、本発明はこれに限らず、例えばベース部５自体を遮光性材料を用いて形成してもよい。要は、ＬＥＤ６から照射される光を、パネル３の外周面３１からリング部７側へ出射しないように遮光可能なものであれば、ベース部５における遮光処理としては、この他種々の遮光処理を広く適用することができる。
【符号の説明】
【００４１】
１        ダイヤル式スイッチ
２        回動ノブ
２ａ      前端部
３        パネル（発光表示部）
３ａ      表示面
３ｂ      裏面
３ｃ      第１の凸部
４        ハウジング部
４ａ      前端部
４ｂ      第２の凸部
５        ベース部
５ａ      前端部
５ｂ      切欠部
６        ＬＥＤ（光源）
７        リング部
７ａ      孔部
２１      回動ノブ開口部
３１      外周面
４１      開口部（先端開口）
４２      外周面
５１      先端開口部
５２      内周面
Ａｘ      中心軸
【図１】
0006012969.tif 000002
【図２】
0006012969.tif 000003
【図３】
0006012969.tif 000004
【図４】
0006012969.tif 000005
【図５】
0006012969.tif 000006
【図６】
0006012969.tif 000007